(57)【特許請求の範囲】
【請求項１】
被検体に巻き付けられる巻き付け方向が幅方向に対して長い帯状のカバーと、
前記カバーに収容された、弾性を有する、前記巻き付け方向に湾曲した芯材と、
前記カバーに収容された、前記芯材の内周側に配置された、流体の供給によって膨張し、流体の排出によって収縮する流体袋と、
前記芯材と前記流体袋とを仕切る、前記カバーに接合された仕切りシートと、を備え、
前記仕切りシートは、幅方向の端縁に、切欠きを備え、
前記仕切りシートは、前記巻き付け方向の両端部に設けられる端片と、前記端片の基端から前記巻き付け方向に延在する、前記端片の幅より狭い小幅部と、を備え、
前記端片は、前記カバーに接合されている
ことを特徴とする、血圧計用カフ。
【請求項２】
前記切欠きを、前記仕切りシートにおける前記幅方向の両側に設けた
ことを特徴とする、請求項１に記載の血圧計用カフ。
【請求項３】
前記カバーは、前記芯材と前記流体袋を挿入して収容するための開口を備える
ことを特徴とする、請求項１又は２に記載の血圧計用カフ。
【請求項４】
前記仕切りシートは、前記小幅部と、前記端片と、を滑らかに接続するＲ状部を備える
ことを特徴とする、請求項１〜３の何れか一項に記載の血圧計用カフ。
【請求項５】
前記端片の前記小幅部と接続する辺は、前記小幅部の幅方向に対して傾斜する
ことを特徴とする、請求項１〜４の何れか一項に記載の血圧計用カフ。
【請求項６】
被検体に巻き付けられる巻き付け方向が幅方向に対して長い帯状のカバーと、
前記カバーに収容された、弾性を有する、前記巻き付け方向に湾曲した芯材と、
前記カバーに収容された、前記芯材の内周側に配置された、流体の供給によって膨張し、流体の排出によって収縮する流体袋と、
前記芯材と前記流体袋とを仕切る、前記カバーに接合された仕切りシートと、を備え、
前記仕切りシートは、幅方向の端縁に、一般部より脆弱な脆弱部を備え、
前記仕切りシートは、前記巻き付け方向の両端部に設けられる端片と、前記端片の基端から前記巻き付け方向に延在する、前記端片の幅より狭い小幅部と、を備え、
前記端片は、前記カバーに接合されている
ことを特徴とする、血圧計用カフ。
【発明の詳細な説明】
【技術分野】
【０００１】
本発明は、被検体に巻き付けられて血圧を計測する血圧計に用いられる血圧計用カフに関する。
【背景技術】
【０００２】
従来、血圧計用カフには、弾性体の芯材と空気袋との間に仕切りシートを設ける構成が知られている（例えば、特許文献１参照）。
【０００３】
特許文献１には、腕帯カバーが、腕に巻き付けられた状態で、外周側に配置された表布と、内周側に配置されて腕に接する裏布と、表布と裏布との間に配置された仕切り布と、表布と仕切り布との間に収容された芯材と、裏布と仕切り布との間に収容された空気袋とを備える構成が開示されている。これにより、仕切り布が、弾性体である芯材の周方向の端縁が内周側に突出しようとするのを受け止め、裏布が変形するのを防止する。
【先行技術文献】
【特許文献】
【０００４】
【特許文献１】特開２０１９−５５６１号公報
【発明の概要】
【発明が解決しようとする課題】
【０００５】
しかしながら、特許文献１に記載の構成では、内周側に配置された仕切り布の周長は、外周側に配置された表布の周長よりも短いにも拘わらず、仕切り布と表布とは接合されているため、丸められた状態では内周側の仕切り布がだぶついて、内側に突出した皺が幅方向の全域に亘って生じ易い。そのため、仕切りシートの皺に押されて、空気袋にも、幅方向の全域に亘って、内周側に突出した折目が形成されてしまう。
【０００６】
そうすると、空気袋には、幅方向の端縁に巻き付け方向の全域に亘って形成される、内周側に突出した折目と、幅方向の全域に亘って形成される折目とが重なった角が形成される。この角には強い負荷が発生するため、長期間の使用で角の部分に孔が開く可能性があるという、問題がある。
【０００７】
そこで、本発明は、被検体への巻き付け方向に沿った流体袋の端縁の孔の発生を低減することができる血圧計用カフを提供することを目的とする。
【課題を解決するための手段】
【０００８】
前記目的を達成するために、本発明の血圧計用カフは、被検体に巻き付けられる巻き付け方向が幅方向に対して長い帯状のカバーと、前記カバーに収容された、弾性を有する、前記巻き付け方向に湾曲した芯材と、前記カバーに収容された、前記芯材の内周側に配置された、流体の供給によって膨張し、流体の排出によって収縮する流体袋と、前記芯材と前記流体袋とを仕切る、前記カバーに接合された仕切りシートと、を備え、前記仕切りシートは、幅方向の端縁に、切欠きを備え、前記仕切りシートは、前記巻き付け方向の両端部に設けられる端片と、前記端片の基端から前記巻き付け方向に延在する、前記端片の幅より狭い小幅部と、を備え、前記端片は、前記カバーに接合されていることを特徴とする。
【発明の効果】
【０００９】
このように構成された本発明の血圧計用カフは、被検体への巻き付け方向に沿った流体袋の端縁の孔の発生を低減することができる。
【図面の簡単な説明】
【００１０】
【図１】実施例１の血圧計用の腕帯が被検者の腕に巻き付けられている様子を示す模式図である。
【図２】実施例１の腕帯が巻き付け方向に丸まった状態を示す斜視図である。
【図３】実施例１の腕帯を平らにした状態を示す分解斜視図である。
【図４】実施例１の腕帯を示す断面図である。
【図５】実施例１の芯材を示す斜視図である。
【図６】実施例１の仕切りシートを示す平面図である。
【図７】実施例１の腕帯の製造方法を説明する図である。
【図８】実施例１の腕帯の製造方法を説明する図である。
【図９】実施例１の腕帯の作用を説明する図であり、空気袋を省略して腕帯を示す図である。
【図１０】実施例１の腕帯の作用を説明する図である。
【図１１】比較例の腕帯の作用を説明する図であり、空気袋を省略して腕帯を示す図である。
【図１２】比較例の腕帯の作用を説明する図である。
【図１３】別の実施例の仕切りシートを示す平面図である。
【発明を実施するための形態】
【００１１】
以下、本発明による血圧計用カフを実現する実施形態を、図面に示す実施例１に基づいて説明する。
【実施例１】
【００１２】
実施例１における血圧計用カフは、被検体としての腕に巻き付けて血圧を計測する血圧計の腕帯に適用される。
【００１３】
［腕帯の構成］
図１は、実施例１の血圧計用の腕帯が被検者の腕に巻き付けられている様子を示す模式図である。図２は、実施例１の腕帯が巻き付け方向に丸まった状態を示す斜視図である。図３は、実施例１の腕帯を平らにした状態を示す分解斜視図である。図４は、実施例１の腕帯を示す断面図である。図５は、実施例１の芯材を示す斜視図である。以下、図１〜図５に基づいて、実施例１の腕帯の構成を説明する。
【００１４】
腕帯１は、図１に示すように被検者の被検体としての腕Ｍに巻き付けられる。腕帯１は、図２及び図３に示すように、巻き付け方向Ｐが幅方向Ｄに対して長い帯状に形成されたカバー２０と、カバー２０の内部に収容された芯材３０と、カバー２０の内部に収容された流体袋としての空気袋４０と、芯材３０と空気袋４０との間を仕切る仕切りシート１０と、を備える。
【００１５】
カバー２０は、図３及び図４に示すように、腕Ｍに巻き付けられた状態で外周側に配置された表布２１と、内周側に配置されて腕Ｍに接する裏布２２とを備える。
【００１６】
表布２１は、例えばポリエステル製の生地とすることができる。表布２１は、第１表布２１ａと、第２表布２１ｂとで構成される。第１表布２１ａと第２表布２１ｂは、帯状に形成される。第１表布２１ａの巻き付け方向Ｐの一方の端部と、第２表布２１ｂの巻き付け方向Ｐの他方の端部と、が縫合されて、１枚の表布２１を形成する。
【００１７】
裏布２２は、例えばナイロン製の生地とすることができる。裏布２２は、第１裏布２２ａと、第２裏布２２ｂとで構成される。第１裏布２２ａと第２裏布２２ｂは、帯状に形成される。
【００１８】
図２に示すように、裏布２２の第２裏布２２ｂの全面には、ループ状の雌型面ファスナ２７が形成される。表布２１の第１表布２１ａには、フック状の雄型面ファスナ２６が形成される。
【００１９】
仕切りシート１０は、例えばポリエステル製やポリ塩化ビニル（ＰＶＣ）製の生地とすることができる。仕切りシート１０は、図３に示すように、表布２１と裏布２２との間に配置される。仕切りシート１０は、第１裏布２２ａと略同じ範囲に設けられる。表布２１と仕切りシート１０と裏布２２とは、周縁の全周に亘って、端部部材２３を介して縫合（接合の一例）される。これにより、仕切りシート１０と第１表布２１ａとの間、及び、仕切りシート１０と第１裏布２２ａとの間にポケット状の収容部分が形成される。
【００２０】
芯材３０は、例えばポリプロピレン（ＰＰ）製の弾性を有する板材で形成される。芯材３０は、第１裏布２２ａより若干小さい矩形の板状で形成される。芯材３０は、図５に示すように、板材を巻き付け方向Ｐに湾曲させた略円筒状に形成される。芯材３０は、図３及び図４に示すように、第１表布２１ａと仕切りシート１０との間に収容される。
【００２１】
芯材３０が、カバー２０の内部に収容されることで、腕帯１は、図２に示すように、芯材３０が収容された範囲において、略円筒状の芯材３０の形状に倣って丸まるようになる。芯材３０により、略円筒状に丸まった範囲の腕帯１の内径は、一般成人の腕Ｍの太さより細く形成される。
【００２２】
空気袋４０は、例えばポリ塩化ビニル（ＰＶＣ）製で、２つの袋体が積み重ねられた２層構造の矩形の袋状に形成される。図３及び図４に示すように、空気袋４０は、芯材３０の内周側に配置される。空気袋４０は、第１裏布２２ａと仕切りシート１０との間に収容される。すなわち、芯材３０と空気袋４０とは、仕切りシート１０によって仕切られる。
【００２３】
空気袋４０には、図１及び図２に示すように、エアチューブ５０が接続され、エアチューブ５０を通じて空気を供給することで、空気袋４０の内部に空気が供給されて、空気袋４０が膨張する。一方、エアチューブ５０を通じて空気を排出することで、空気袋４０の内部の空気が排出されて、空気袋４０が収縮する。
【００２４】
収縮した状態において、空気袋４０は、図３に示すように、例えば、芯材３０が配置されている範囲と同じ範囲に設けられる。収縮した状態において、空気袋４０は、幅方向Ｄの端縁４１に折目が形成される。
【００２５】
このように構成された腕帯１を腕Ｍに装着する際は、芯材３０によって丸まった腕帯１の巻き付け方向Ｐの端部を開いて、腕Ｍに腕帯１を巻き付けて装着する。この際、芯材３０の弾性力によって、腕帯１は腕Ｍを内側に圧迫するように荷重が作用する。そして、この荷重により、裏布２２と腕Ｍの表面との間に腕Ｍの周方向に摩擦力が生じるようになっている。
【００２６】
したがって、被検者が自身の一方の腕Ｍに、腕帯１の丸まった部分を装着して、他方の手で腕帯１の残り部分を巻き付ける際には、既に装着した部分（腕帯１の丸まった部分）と腕Ｍとの間の周方向に沿った摩擦力により、一方の手で腕帯１を押さえなくても、装着した部分が空回りするのを防止し、被検者自身での装着を容易にしている。そして、腕帯１を腕Ｍに巻き付けた状態で、雌型面ファスナ２７と雄型面ファスナ２６とを互いに張り付けることで、腕帯１を腕Ｍに巻き付けた状態が維持される。
【００２７】
［仕切りシートの構成］
図６は、実施例１の仕切りシート１０を示す平面図である。以下、図６に基づいて、実施例１の仕切りシート１０の構成を説明する。
【００２８】
仕切りシート１０は、図６に示すように、矩形のシートから、幅方向Ｄの両側の端縁１４のうち、巻き付け方向Ｐの中央付近を切り欠いた切欠き１５を有する。言い換えると、仕切りシート１０は、矩形のシートから、巻き付け方向Ｐに沿った両側の端縁１４のうち、中央付近を切り欠いた切欠き１５を有するように形成される。なお、切欠き１５は、幅方向Ｄの何れか一方の端縁１４に設けられてもよい。
【００２９】
仕切りシートは、切欠き１５によって、端片としての第１端片１１と、端片としての第２端片１２と、第１端片１１と第２端片１２とを接続する小幅部１３と、で構成される。
【００３０】
第１端片１１は、仕切りシート１０の巻き付け方向Ｐの一方の端部に設けられる。第２端片１２は、仕切りシート１０の巻き付け方向Ｐの他方の端部に設けられる。
【００３１】
小幅部１３は、第１端片１１及び第２端片１２の幅より小さく形成される。小幅部１３は、第１端片１１及び第２端片１２の幅方向Ｄの略中央部に形成されていて、幅方向Ｄの両端が切欠き１５として形成される。小幅部１３は、第１端片１１の基端１１ｃから、巻き付け方向Ｐに延在する。小幅部１３は、第２端片１２の基端１２ｃから、巻き付け方向Ｐに延在する。すなわち、小幅部１３は、第１端片１１の基端１１ｃと、第２端片１２の基端１２ｃとを接続する。
【００３２】
第１端片１１の、小幅部１３と接続する辺１１ａは、小幅部１３の幅方向Ｄの端縁に対応した辺と鈍角を形成するように傾斜する。第２端片１２の、小幅部１３と接続する辺１２ａは、小幅部１３の幅方向Ｄの端縁に対応した辺と鈍角を形成するように傾斜する。
【００３３】
小幅部１３の側辺１３ａは、第１端片１１の小幅部１３と接続する辺１１ａと滑らかに接続するＲ状部１１ｂを備える。小幅部１３の側辺１３ａは、第２端片１２の小幅部１３と接続する辺１２ａと滑らかに接続するＲ状部１２ｂを備える。
【００３４】
このように構成された仕切りシート１０は、芯材３０の巻き付け方向Ｐの端縁が内周側に突出する際、裏布２２を変形させないようする。すなわち、裏布２２は、腕Ｍに接する部分であるため、比較的軟らかい素材で形成されている。腕帯１を腕Ｍに巻き付ける際に、芯材３０の丸まった形状を、芯材３０の弾性力に逆らって展開するが、芯材３０は弾性力により丸まった状態に戻ろうとする。
【００３５】
そのため、芯材３０の端縁が半径方向の内側に出っ張る。このとき、仕切りシート１０を備えない腕帯は、芯材３０の端縁が裏布２２を半径方向の内側に押すため、軟らかい素材の裏布２２は、半径方向の内側に向かって押され伸びて変形してしまう。しかし、仕切りシート１０を備えた腕帯１は、芯材３０の端縁を仕切りシート１０が受け止めるため、裏布２２が変形するのを防止する。
【００３６】
仕切りシート１０は、芯材３０の弾性力による端縁の変位を受け止めて裏布２２の伸びを防止又は抑制するために、裏布２２よりも硬い素材で形成されている。
【００３７】
［腕帯の製造方法］
図７及び図８は、実施例１の腕帯１の製造方法を説明する図である。以下、図７及び図８に基づいて、実施例１の仕切りシートの製造方法を説明する。
【００３８】
図７に示すように、表布２１と裏布２２との間に仕切りシート１０を挟んで重ねた状態で表布２１と裏布２２の外周縁付近を熱溶着し、さらに、端部部材２３を介して、表布２１と裏布２２の外周縁を縫合する。カバー２０の外周縁には縫合跡Ｓが形成される。これにより、第１端片１１及び第２端片１２における幅方向Ｄの端縁１４付近や、第２端片１２における巻きつけ方向Ｐの端縁付近も表布２１と裏布２２に縫合される。
【００３９】
次に、図８に示すように、第１裏布２２ａと第２裏布２２ｂとの重ね合った部分に形成された開口２４から、空気袋４０を挿入して、第１裏布２２ａと仕切りシート１０との間に収容する。また、第１裏布２２ａと第２裏布２２ｂとの間の開口２４から、丸まった形状から略平らな状態に弾性変形させた芯材３０を挿入して、第１表布２１ａと仕切りシート１０との間に収容して、腕帯１を生産する。なお、空気袋４０と芯材３０をカバー２０に収容した後に、第１裏布２２ａと第２裏布２２ｂとを縫合して開口２４を塞いでもよい。
【００４０】
［腕帯の作用］
図９は、実施例１の腕帯の作用を説明する図であり、空気袋を省略して腕帯を示す図である。図１０は、実施例１の腕帯の作用を説明する図である。図１１は、比較例の腕帯の作用を説明する図であり、空気袋を省略して腕帯を示す図である。図１２は、比較例の腕帯の作用を説明する図である。以下、図９〜図１２に基づいて、実施例１の腕帯の作用を説明する。
【００４１】
実施例１の血圧計用カフ（腕帯１）は、被検体（腕Ｍ）に巻き付けられる巻き付け方向Ｐが幅方向Ｄに対して長い帯状のカバー２０と、カバー２０に収容された、弾性を有する、巻き付け方向Ｐに湾曲した芯材３０と、カバー２０に収容された、芯材３０の内周側に配置された、流体の供給によって膨張し、流体の排出によって収縮する流体袋（空気袋４０）と、芯材３０と流体袋（空気袋４０）とを仕切る、カバー２０に接合された仕切りシート１０と、を備え、仕切りシート１０は、幅方向Ｄの端縁１４に、切欠き１５を備える（図６）。
【００４２】
これにより、図９に示すように、仕切りシート１０には、巻き付け方向Ｐの略中央部分において、幅方向Ｄの中央部分にだけ、皺１０Ａが形成される。そうすると、図１０に示すように、空気袋４０には、幅方向Ｄの中央部分に、仕切りシート１０の皺１０Ａにより隆起した隆起部４０Ａが形成されることになる。一方、空気袋４０の、幅方向Ｄの端部部分には、隆起部４０Ａは形成されない。
【００４３】
そのため、空気袋４０には、筒状体を潰して形成される幅方向Ｄの端縁４１に形成される折目には、幅方向Ｄの中央部分に形成される隆起部４０Ａが重ならないようにすることができる。その結果、空気袋４０の端縁４１には、多大な負荷がかかることを抑制することができ、空気袋４０の端縁４１に穴が開いてしまうことを防ぐことができる。
【００４４】
一方、図１１に示すように、内周側に配置された切欠き１５を有しない仕切りシート９１０と外側に配置された表布２１とは、周縁が全長に亘って接合されているため、丸められた状態では、外周と内周との周長差により、内周側に配置された仕切りシート９１０には、余った部分が生じる。この余った部分により、仕切りシート９１０には、内周側に突出した皺９１０Ｂが幅方向Ｄの全域に亘って生じてしまう。
【００４５】
そして、仕切りシート９１０の皺９１０Ｂに押されて、空気袋４０にも、幅方向Ｄの全域に亘って、折目４０Ｂが形成される。そうすると、空気袋４０には、幅方向Ｄの端縁４１に巻き付け方向Ｐの全域に亘って形成される折目と、幅方向Ｄの全域に亘って形成される折目４０Ｂと、が形成されることになる。
【００４６】
そして、空気袋４０は、収縮と膨張を繰り返すことで、この２つの折目が重なった部分が屈曲を繰り返すことになり、多大な負荷がかかることになる。また、芯材３０が配置される部分は、腕帯１を腕に装着しなくても丸まった状態に維持されるため、空気袋４０は、保管状態でも幅方向Ｄの端縁４１に折目が形成されたままになる。そのため、空気袋４０のこの２つの折目が重なった部分に穴が開いてしまう虞がある。
【００４７】
また、実施例１の血圧計用カフ（腕帯１）は、カバー２０に接合された仕切りシート１０が、巻き付け方向Ｐの端部において、芯材３０の端縁を受け止めるため、カバー２０が変形するのを防止することができる。
【００４８】
また、仕切りシート１０に切欠き１５を設けるだけの簡単な構成であるため、生産性が良い。
【００４９】
実施例１の血圧計用カフ（腕帯１）において、切欠き１５を、仕切りシート１０における幅方向Ｄの両側に設けた（図６）。
【００５０】
これにより、空気袋４０には、筒状体を潰して形成される幅方向Ｄの両側の端縁４１に形成される折目には、幅方向Ｄの中央部分に形成される隆起部４０Ａが重ならないようにすることができる。その結果、空気袋４０の端縁４１には、多大な負荷がかかることを抑制することができ、空気袋４０の幅方向Ｄの両側の端縁４１に穴が開いてしまうことを防ぐことができる。
【００５１】
実施例１の血圧計用カフ（腕帯１）において、カバー２０は、芯材３０と流体袋（空気袋４０）を挿入して収容するための開口２４を備える（図８）。
【００５２】
これにより、カバー２０と仕切りシート１０とを縫合した後に、芯材３０と流体袋（空気袋４０）を開口２４から挿入して、カバー２０に収容することができる。そのため、血圧計用カフを少ない工程で生産することができる。その結果、血圧計用カフの生産性を向上させることができる。
【００５３】
実施例１の血圧計用カフ（腕帯１）において、仕切りシート１０は、切欠き１５により、巻き付け方向Ｐの端部に設けられる端片（第１端片１１，第２端片１２）と、端片（第１端片１１，第２端片１２）の基端１１ｃ，１２ｃから巻き付け方向Ｐに延在する、端片（第１端片１１，第２端片１２）の幅より狭い小幅部１３と、で構成され、小幅部１３と、端片（第１端片１１，第２端片１２）と、を滑らかに接続するＲ状部１１ｂ，１２ｂを備える（図６）。
【００５４】
これにより、端片（第１端片１１，第２端片１２）と小幅部１３とを滑らかな形状で接続することができる。そのため、略円筒形状から延ばした芯材３０を開口２４からカバー２０に挿入して収容する際に、復元力が働いて仕切りシート１０の表面を押圧しようとする芯材３０の先端が、小幅部１３と端片（第１端片１１，第２端片１２）との接続部に引っ掛かってしまうことを防止することができる。その結果、芯材３０のカバー２０への挿入性を向上させ、生産性を向上させることができる。
【００５５】
また、芯材３０をカバー２０に挿入して収容する際に、小幅部１３が芯材３０の挿入を案内するガイドとしての役割を担うことができる。そのため、芯材３０を意図した場所に収容することができる。具体的には、図８において、開口２４から矢印方向に挿入した仕切りシート１０を、奥の方まで挿入しやすくすることができる。また、仕切りシート１０の強度を向上させることができる。
【００５６】
実施例１の血圧計用カフ（腕帯１）において、端片（第１端片１１，第２端片１２）の小幅部１３と接続する辺１１ａ，１２ａは、小幅部１３と鈍角を形成するように傾斜する（図６）。
【００５７】
これにより、芯材３０をカバー２０に挿入して収容する際に、芯材３０の先端を、端片（第１端片１１，第２端片１２）の小幅部１３と接続する傾斜する辺１１ａ，１２ａに接触させて滑らせることができる。そのため、芯材３０をカバー２０に挿入して収容する際に、芯材３０の先端が、端片（第１端片１１，第２端片１２）の小幅部１３と接続する辺に引っ掛かってしまうことを防止することができる。その結果、芯材３０のカバー２０への挿入性を向上させ、生産性を向上させることができる。
【００５８】
以上、本発明の血圧計用カフを実施例１に基づき説明してきた。しかし、具体的な構成については、この実施例に限られるものではなく、特許請求の範囲の各請求項に係る発明の要旨を逸脱しない限り、設計の変更や、追加等は許容される。
【００５９】
実施例１では、表布２１と裏布２２との間に仕切りシート１０を挟んで重ねた状態で周縁を縫合する例を示した。しかし、この態様に限定されず、例えば仕切りシートを裏布に縫い合わせたものを、表布に縫い合わせてもよい。
【００６０】
実施例１では、空気袋４０を２つの袋体が積み重ねられた２層構造とする例を示した。しかし、空気袋は、１つの袋体であっても良いし、３つ以上の袋体が積み重ねられた多層構造としてもよい。
【００６１】
実施例１では、仕切りシート１０に切欠き１５を設ける例を示した。しかし、図１３に示すように、切欠き１５の部分に一般部５１より柔らかい脆弱部５２を設けてもよい。これにより、仕切りシート１０には、巻き付け方向Ｐの略中央部分において、幅方向Ｄの中央部分にだけ、皺１０Ａが形成されるか、又は、仕切りシート１０の幅方向Ｄの端部に形成される皺１０Ａの強度を、空気袋４０に孔が開かない程度に軽減させることができる。例えば、脆弱部５２は、矩形のシートから、幅方向Ｄの端縁のうち、巻き付け方向Ｐの中央付近に、複数のスリットを形成したようなものであってもよい。
【００６２】
また、脆弱部は、第１端片１１の端縁１４と第２端片１２側の端縁１４を小幅部１３よりも細い幅で巻き付け方向Ｐに接続する接続部を残した状態のものであってもよい。また、脆弱部は、この接続部と小幅部１３との間に巻き付け方向Ｐに辺１１ａと辺１２ａを接続する１つ又は複数の中間接続部を残したものであってもよい。言い換えると、仕切りシート１０に開口を形成して脆弱部とすることもできる。
【００６３】
実施例１では、矩形のシートから幅方向Ｄの端縁１４のうち、巻き付け方向Ｐの中央付近を切り欠いて切欠き１５を形成する例を示した。しかし、仕切りシート１０は、矩形のシートから、第１端片１１，小幅部１３，第２端片１２に対応する部分を別々に形成し、これらを超音波溶着や縫合することによって形成してもよい。これにより、仕切りシート１０には、切欠き１５が形成される。
【００６４】
この場合、超音波溶着又は縫合される箇所は、第１端片１１の基端１１ｃ付近と、小幅部１３における第１端片１１側の端部付近とを、厚さ方向に重ねた部分である。また、超音波溶着又は縫合される箇所は、第２端片１２の基端１２ｃ付近と、小幅部１３における第２端片１２側の端部付近とを、厚さ方向に重ねた部分である。
【００６５】
この場合、仕切りシート１０が芯材３０に対向する面において、第１端片１１を小幅部１３より芯材３０に近づけた配置になるように重ねることが好ましい。また、仕切りシート１０が芯材３０に対向する面において、小幅部１３を第２端片１２より芯材３０に近づけた配置になるように重ねることが好ましい。
【００６６】
これにより、芯材３０を開口２４から挿入する際に、第１端片１１と小幅部１３との重なり部分に形成される段部と、第２端片１２と小幅部１３との重なり部分に形成される段部とには引っ掛からないようにすることができる。
【００６７】
また、仕切りシート１０は、抜き型を用いて、幅方向Ｄ及び巻きつけ方向Ｐの長さが仕切りシート１０よりも長い矩形のシートから、形成されても良い。この場合も仕切りシート１０には、切欠き１５が形成される。
【００６８】
実施例１では、切欠き１５を、仕切りシート１０の幅方向Ｄの両端縁１４に設ける例を示した。しかし、切欠き１５としては、仕切りシート１０の幅方向Ｄの少なくとも一方に設けられてもよい。例えば、空気袋４０の幅方向Ｄの一方の端縁だけに孔が開く場合は、一方の端縁だけに切欠き１５を設けても良い。これは、切欠き１５を脆弱部とした場合も同様である。
【００６９】
実施例１では、開口２４を第１裏布２２ａと第２裏布２２ｂとの重ね合った部分に形成する例を示した。しかし、開口としては、第１裏布２２ａの巻き付け方向Ｐで、開口２４とは反対側の先端に設けられてもよい。
【００７０】
実施例１では、芯材３０をポリプロピレン（ＰＰ）製とする例を示した。しかし、芯材としては、例えば金属製など、略円筒状を平板状に開くような荷重を作用させても、その荷重を取り除けば元の略円筒状に復元する弾性を有するものであればよい。
【００７１】
実施例１では、流体袋を空気袋４０とする例を示した。しかし、流体袋としては、この態様に限定されず、内部に液体が流入するものであってもよい。
【００７２】
実施例１では、本発明を被検体としての腕に装着する血圧計に適用する例を示した。しかし、本発明は、被検体としての手首に装着する血圧計に適用することもできる。
【符号の説明】
【００７３】
１        腕帯（血圧計用カフの一例）
１０      仕切りシート
１１      第１端片（端片の一例）
１１ｂ    Ｒ状部
１２      第２端片（端片の一例）
１２ｂ    Ｒ状部
１３      小幅部
１５      切欠き
２０      カバー
２４      開口
３０      芯材
４０      空気袋（流体袋の一例）
Ｄ        幅方向
Ｐ        巻き付け方向
【要約】
【課題】  被検体への巻き付け方向に沿った流体袋の端縁の孔の発生を低減することができる血圧計用カフを提供する。
【解決手段】  血圧計用カフ（腕帯１）は、被検体に巻き付けられる巻き付け方向Ｐが幅方向Ｄに対して長い帯状のカバー２０と、カバー２０に収容された、弾性を有する、巻き付け方向Ｐに湾曲した芯材３０と、カバー２０に収容された、芯材３０の内周側に配置された、流体の供給によって膨張し、流体の排出によって収縮する流体袋（空気袋４０）と、芯材３０と流体袋（空気袋４０）とを仕切る、カバー２０に接合された仕切りシート１０と、を備え、仕切りシート１０は、幅方向Ｄの端縁に、切欠き１５を備える。
【選択図】図３【図１】
0006751462.tif 000002
【図２】
0006751462.tif 000003
【図３】
0006751462.tif 000004
【図４】
0006751462.tif 000005
【図５】
0006751462.tif 000006
【図６】
0006751462.tif 000007
【図７】
0006751462.tif 000008
【図８】
0006751462.tif 000009
【図９】
0006751462.tif 000010
【図１０】
0006751462.tif 000011
【図１１】
0006751462.tif 000012
【図１２】
0006751462.tif 000013
【図１３】
0006751462.tif 000014